(57)【要約】    【課題】      被さる常温収縮チューブの大きさに関わらず、その収縮力に十分対応できる強度を有するとともに、精度良く容易に製造できるようにすること。    【解決手段】  スパイラルコア用リボン１００は、巻き上げて筒状体に組み立てて常温収縮チューブ用スパイラルコアを形成する。スパイラルコアでは、筒状体の軸方向で隣接するリボン同士は、リボン本体１１０の両側部にそれぞれ設けられた嵌合部１３０及び被嵌合部１４０とを嵌合することにより固定される。このようなリボン本体１１０は、内部に、リボン本体１１０に被覆される芯材１２０を有しており、リボン本体１１０の肉厚を薄くしている。これにより、芯材１２０の周囲に、押出成形によりリボン本体１１０が成形された後、リボン本体１１０が収縮変形することを防止する。  【選択図】      図２
2006289791.tif 000002
【特許請求の範囲】
【請求項１】
拡径された常温収縮チューブが被さる筒状のインナーコアを形成するインナーコア用リボンであって、
リボン本体の内部に、前記リボン本体に被覆される芯材を有することを特徴とするインナーコア用リボン。
【請求項２】
前記芯材は、筒状であることを特徴とする請求項１記載のインナーコア用リボン。
【請求項３】
前記芯材は、蛇腹管状であることを特徴とする請求項１記載のインナーコア用リボン。
【請求項４】
前記芯材は、細線を螺旋状に巻き上げたバネ状体であることを特徴とする請求項１記載のインナーコア用リボン。
【請求項５】
請求項１から４のいずれかに記載のインナーコア用リボンを螺旋状に巻き上げることにより筒状に形成されてなることを特徴とする常温収縮チューブ用インナーコア。
【発明の詳細な説明】
【技術分野】
【０００１】
本発明は、常温収縮チューブを拡径状態で支持するための支持治具であるインナーコアを形成するインナーコア用リボン及び常温収縮チューブ用インナーコアに関する。
【背景技術】
【０００２】
常温収縮チューブは、例えば、電力ケーブルの端末や、電力ケーブルを接続する際の接続部分の被覆に用いられ、電界緩和作用、絶縁作用を発揮する。
【０００３】
この常温収縮チューブは、ゴム弾性体で作られ、例えば、シリコーンゴム、エチレンプロピレンゴム（Ethylene Propylene Diene Monomer ：ＥＰＤＭ、ＥＰＭ）等の材料で作られた筒状体であり、常温で収縮状態となる。この常温収縮チューブを使用する際には、予め常温収縮チューブを押し広げる必要があり、この押し広げた状態（以下「拡径」という）を維持するため、常温収縮チューブ内に設ける支持治具としてのインナーコアが用いられる。インナーコアとしては、例えば、特許文献１及び２に示すように、インナーコア本体に、紐状に解けやすくするために、切り目や溝を形成した構造のものがあるが、一般的には、リボンを螺旋状に巻いて筒状に形成されたスパイラルコアが用いられている。
【０００４】
このスパイラルコアは従来、合成樹脂で作られ、常温収縮チューブに押し潰されない強度を持つ帯状あるいは紐状に加工された中実のリボンを、螺旋状の筒体にすることによって形成される。これに拡径された常温収縮チューブを被せることにより、常温収縮チューブは所定の径を維持できる。
【０００５】
このようにスパイラルコアに支えられた常温収縮チューブは、当該常温収縮チューブを取り付ける目的の箇所で、スパイラルコア片端のリボンを他端に導き、他端側へスパイラルコアを取り除くことによって収縮し、目的物を被覆する。
【０００６】
図９に従来のスパイラルコアを構成するリボンの一例の断面図を示す。図９に示すリボン１は、両側部に互いに嵌合可能な形状の鈎型の嵌合部２を有し、合成樹脂を用いて押出機により注型される。また、図１０は、従来のスパイラルコア１０の部分断面図である。
【０００７】
図９に示す注型されたリボン１を、マンドレルなど、コイル状（螺旋状）に巻き上げるための部材に巻き付け、隣接するリボン１同士において対向する嵌合部２同士を嵌合させて連結部４を形成する（図１０参照）ことによって、筒状のスパイラルコア１０が形成される。
【０００８】
すなわち、図９及び図１０に示すリボンによって構成される従来のスパイラルコアは、例えば、ポリプロピレン（Polypropylene）樹脂などの高分子材料を使い、高価なダイ、ニップルを用いて押出機により成型され、更に、人手により、マンドレルに巻かれて完成する。なお、従来のスパイラルコアは、拡径された常温収縮チューブが被さる状態において、環境温度で軟化せず、常温収縮チューブの収縮力に対応した強度を有する合成樹脂が用いられことが望ましい。
【０００９】
また、両端に嵌合部等を持たない構成のリボンによりなるスパイラルコアでは、例えば、特許文献３に示すように、隣接のリボン同士が離れないよう、コイル状に巻かれたリボンの上に覆いを被せ、覆いとコイル状リボンを一体化して固定する構造が用いられている。
【００１０】
一般的に、高分子材料からなるリボンは、押出時に押し出し易くするため、幅が狭く薄く成形されている。また、成形されるリボンが薄いため、過熱軟化されて押出成形された後、内部まで短時間で冷却固化可能となっており、冷却時による収縮の影響が少ないものとなっている。
【特許文献１】特開２００２−２７１９７０号公報
【特許文献２】実開平７−２６９２号公報
【特許文献３】特開平９−１４１７４２号公報
【発明の開示】
【発明が解決しようとする課題】
【００１１】
近年、常温収縮チューブの大型化が図られており、これを支持するために、従来のスパイラルコア自体の強度も増加させなければならない。よって、スパイラルコアを形成するリボンの厚みと幅を大きくして大型にする必要がある。
【００１２】
しかしながら、合成樹脂を用いたリボンには、押し出し成形の後、収縮による変形が生じる。詳細には、リボンの成形では、高温状態で押し出されたリボン成形体は、厚みに比例して、常温に冷却されるまで表面とリボン内部との温度差が大きくなる。加えて、嵌合部を備えるリボンのように表面形状が複雑なリボンにおいては、リボン全体を均一に冷却することは困難であり、リボン自体に、不均一冷却による不規則な収縮が生じる。
【００１３】
図１１は、厚みのあるリボンの成形後における収縮状態を示す断面図である。図１１（ａ）に示す従来のリボン１では、同一樹脂で厚く押し出された素材１’は、表面１ａから冷却されて固化するが、厚肉内部１ｂでは、表面１ａが固まっても流動的で温度が高い状態となる。また、嵌合部２（図９参照）となる部位２’は、厚肉内部１ｂより薄く、早く冷やされて固化する。
【００１４】
つまり、周囲の固まった表面１ａは、押し出された形状に近い状態で維持されているが、厚肉内部１ｂが冷えるにつれて収縮する内部の樹脂に引きずられ、図１１（ｂ）に示すように、素材１’では、凹み３が生ずる。また、角部５は表面積が大きく、表面層のみ早く冷やされ、固化するため、突起部６となる。更に、嵌合部２は、角部５が初期の形状から変形することによって、共に形を変えざるを得ず、このような形状では、嵌合部２は、螺旋状に巻かれたとき、リボン１同士を強固に固定することが出来ず目的とするスパイラルコアの形成が出来ない。
【００１５】
これを解決するため、従来は、押し出し時において、収縮分を見込んだ形状に注型し、冷却方法を工夫しながら所定の寸法形状に仕上げる方法が採られているが、この方法だけでは、精度よい形状のリボンを作ることはできない。
【００１６】
このため、更に、樹脂の押し出し成型状態を見つつダイスの形を削るといったカットアンドドライを繰り返して、目的とするリボンを製造しており、製造作業に手間がかかり、時間及びコストが嵩むという問題があった。
【００１７】
本発明はかかる点に鑑みてなされたものであり、被さる常温収縮チューブの大きさに関わらず、その収縮力に十分対応できる強度を有するとともに、精度良く容易に製造できる常温収縮チューブ用インナーコアとなるインナーコア用リボン及びインナーコアを提供することを目的とする。
【課題を解決するための手段】
【００１８】
本発明のインナーコア用リボンは、拡径された常温収縮チューブが被さる筒状のインナーコアを形成するインナーコア用リボンであって、リボン本体の内部に、前記リボン本体に被覆される芯材を有する構成を採る。
【００１９】
この構成によれば、リボン本体の内部に、リボン本体に被覆される芯材を有するため、リボン本体の肉厚部分が、内部に芯材が配置される分薄くなる。よって、リボン本体を製造する際に、特に、押出成形により製造する場合、溶融されたリボン本体の素材の固化により生じる収縮を低減することができ、寸法精度よく成形できる。
【００２０】
これにより、幅広で且つ肉厚なインナーコア用リボンを、精度良く且つ製造できる。したがって、インナーコアに被さる常温収縮チューブの大型化に伴い、インナーコア自体を大きくする場合でも、インナーコア用リボンを幅広で且つ厚みのあるものとして容易に製造して、これを筒状に組み立てることによって、収縮力に十分対応できる強度を有するインナーコアを組み立てることができる。
【発明の効果】
【００２１】
以上説明したように、本発明によれば、被さる常温収縮チューブの大きさに関わらず、十分対応できるとともに、精度良く容易に形成できるインナーコアを組み立てることができる。
【発明を実施するための最良の形態】
【００２２】
以下、本発明の実施の形態について、図面を参照して詳細に説明する。
【００２３】
図１は、本発明の一実施の形態に係る常温収縮チューブ用インナーコアの一例としての常温収縮チューブ用スパイラルコア２００の構造を示す全体図である。図１に示す常温収縮チューブ用スパイラルコア２００は、長尺の紐状または帯状のリボン１００を螺旋状に巻いて筒状に形成され、螺旋状に巻かれたリボン１００の隣接部分１０１を互いに接合することによりなる。
【００２４】
このスパイラルコア２００では、螺旋状に巻き上げられて筒状体を形成するリボン１００の先端部１０２は、筒状体の一方の開口部を形成する所定位置（ここでは、筒状体の一端部１０３）で折り返されて、筒状体の内部に通されている。そして、先端部１０２は、筒状体の他方の開口部を形成する他端部１０４側に導かれて、筒状体の他端部１０４から外方に導出されている。この先端部１０２を含む、筒状体の他端部１０４から外部に導出されている部分が、スパイラルコア２００のテールとなっている。
【００２５】
このスパイラルコア２００は、テールを他端部１０４側（矢印Ｐ方向）に引く、つまり、リボン１００を他端部１０４側に引き抜くことによって分解除去できる。
【００２６】
図２は、図１に示す常温収縮チューブ用スパイラルコア２００を形成するリボン１００の断面図である。
【００２７】
図２に示すリボン１００は、可撓性を有する長尺のものであり、被さる常温収縮チューブの収縮しようとする力に耐えうる強度が要求されるとともに、環境温度において軟化しにくく、常温収縮チューブの拡径状態を維持できる材料によって構成される。
【００２８】
リボン１００は、押出成形されるリボン本体１１０と、リボン本体１１０の内部に、リボン本体１１０に被覆される芯材１２０と、リボン本体１１０の両側面にそれぞれ形成され、互いに嵌合可能な嵌合部１３０及び被嵌合部１４０とを備える。
【００２９】
リボン本体１１０、嵌合部１３０及び被嵌合部１４０は、押出合成樹脂製のものであり、ここでは、無色透明なポリプロピレン（PolyPropylene）樹脂からなる。なお、リボン１００の素材として、ポリエチレンテレフタレート（PolyEthylene Terephthalate）樹脂を用いたり、ポリプロピレンに混ざりやすい他の樹脂（例えば、ポリエチレン（Polyethylene））等との混合材料を用いたりしても良い。
【００３０】
特に、ポリプロピレン樹脂は、密度が小さいことから軽く、軟化温度が高いので環境対応性があり、引張り強さ、曲げ強さ及び剛性が大きく、耐曲げ疲労性も良好である。更に、ポリプロピレン樹脂は加工性に優れ、透明性、表面光沢は良好で成型収縮率が小さく、成型品の外観及び寸法精度が高くなる。
【００３１】
リボン本体１１０は、ここでは、断面略矩形状に形成され、リボン１００の表裏面となるリボン本体の表裏面１１１、１１２は平行に配置されている。また、リボン本体１１０の両側面１１３、１１４には、互いに嵌合する形状をなす嵌合部１３０及び被嵌合部１４０が設けられている。
【００３２】
嵌合部１３０及び被嵌合部１４０は、互いに嵌合する形状をなし、ここでは、それぞれ鈎型状をなし、リボン本体１１０の両側面側に、リボン１００の軸心を中心に点対称をなして形成されている。嵌合部１３０は、被嵌合部１４０に対して、リボン１００（紐状体または帯状体）の隣り合う方向への移動を規制されるとともに筒状体（ここではスパイラルコア２００自体）の軸方向と交差する方向に取り外し可能に嵌合される。
【００３３】
このように構成される嵌合部１３０と被嵌合部１４０とを嵌合させることによって、螺旋状に巻かれ、軸方向に隣接するリボン１００同士は、その隣接部分１０１（図１参照）で接合される。
【００３４】
また、リボン本体１１０の略中央部には、リボン本体１１０の軸心と同一軸を有する芯材１２０が配置されている。
【００３５】
芯材１２０は、ここでは、押出合成樹脂製で、且つ、可撓性を有する中実の円柱状のものであり、リボン本体１１０の押出成形前に成形されてなる。芯材１２０の素材としては、リボン本体と同等の樹脂、例えば、無色透明なポリプロピレン（PolyPropylene）樹脂、ポリエチレンテレフタレート（PolyEthylene Terephthalate）樹脂、ポリプロピレンに、当該ポリプロピレンに混ざりやすい他の樹脂（例えば、ポリエチレン（Polyethylene））等との混合樹脂等が挙げられる。また、芯材１２０としては、リボン本体１１０の素材の収縮による変形を抑える上で、耐熱性エラストマー（Elastomer）、ゴム等、架橋構造高分子材料が用いられることが好ましい。
【００３６】
次に、常温収縮チューブに用いるスパイラルコア用リボン１００の製造方法について説明する。
【００３７】
図３は、本発明に係るインナーコア用リボンとしてのスパイラルコア用リボン１００の製造を説明するための主要工程を示す図である。図４は、図３に示すクロスヘッド３１０内での挙動を説明する図であり、図４（ａ）はＡ方向からみたクロスヘッド３１０の挙動を説明する模式図、図４（ｂ）はＢ−Ｂ線部分断面図である。
【００３８】
リボン１００（図１及び図２参照）の製造は、図３に示すように、予め成形される芯材１２０が巻かれたドラム３８０より送り出され（矢印Ｓ方向）、押出装置３３０のクロスヘッド３１０を通過する際、リボン形状を形成する素材が被せられることにより製造される。
【００３９】
ここでは、リボン１００の製造に際し、挿入される芯材１２０にリボン本体１１０を被覆するクロスヘッド３１０を備える押出装置３３０、サイジング装置３５０、冷却槽３７０等が主として用いられる。なお、図３では、サイジング装置３５０及び冷却糟３７０は、模式図で示している。
【００４０】
押出装置３３０は、クロスヘッド３１０に案内される芯材１２０をリボン本体１１０の素材で被覆して、サイジング装置３５０、冷却槽３７０に送り出すものである。なお、芯材１２０をリボン本体１１０の素材で被覆するクロスヘッド３１０は、芯材１２０をリボン本体１１０で被覆すると共に素材により嵌合部１３０及び被嵌合部１４０を成形するものである。以下では、成形時において、芯材１２０がリボン本体１１０で被覆された際に、嵌合部１３０及び被嵌合部１４０も所定の形状に成形されるものとして、リボン本体１１０の成形のみ説明し、嵌合部１３０及び被嵌合部１４０の説明は省略する。
【００４１】
押出装置３３０は、リボン本体１１０の素材ペレットが投入されるホッパ３３１（図３参照）と、ホッパ３３１に投入される素材ペレットを軟化させるための加熱装置（図示省略）と、軟化された素材を用いて押出注型を連続的に行うスクリュ３３２（図４参照）及びシリンダ３３３（図４参照）とを有する。
【００４２】
この押出装置３３０では、ホッパ３３１に投入される素材ペレットを加熱溶融練り合わせを行い、融解した素材を吐出口３３４（図４参照）から吐出してクロスヘッド３１０に送り込む。
【００４３】
クロスヘッド３１０は、挿入される芯材１２０の表面を、吐出口３３４を介して送り込まれる素材で被覆して押し出すものである。
【００４４】
吐出口３３４を介して、素材をクロスヘッド３１０内に押し出す押出装置３３０の押出軸は、芯材１２０が挿入される方向、つまり、芯材１２０の移動方向（矢印Ｃ方向）と直交する方向に配置されている。
【００４５】
そして、クロスヘッド３１０は、図４（ａ）に示すように、内部に、芯材１２０の移動方向（矢印Ｃ方向）から、芯材１２０を押し出す押出口側に向かって狭窄する筒状の内部空間を有する。この内部空間は、吐出口３３４から送り込まれる素材を芯材１２０の周囲に案内する素材案内部３１１を構成している。素材案内部３１１の押出口には、リボン形状のダイス３１２が連通して取り付けられている。
【００４６】
このようにクロスヘッド３１０では、押出装置３３０における素材の押出軸に対して、芯材が直交する方向に挿入される。このため、クロスヘッド３１０では、吐出口から送り込まれる素材は、直角に方向を変えながら芯材１２０の周りを円周上に回転されて、ダイス３１２によって異形に成型されて、ダイス３１２の成型口３１４から芯材１２０の表面に被覆された状態で押し出される。このように成型口３１４から押し出され、まだ固化してリボン１００になる前のリボン、つまり、芯材１２０がリボン本体１１０に被覆された状態のリボンを以下では「リボン成形体」という。
【００４７】
サイジング装置３５０は、押出成形の寸法精度を高めるためにクロスヘッド３１０から押し出され、リボン成形体の外表面をサイジング金型に密着させて整形する。
【００４８】
冷却槽３７０は、リボン成形体の変形を防ぐものであり、リボン成形体を常温に冷却して固化する。
【００４９】
図３及び図４を参照して、クロスヘッド３１０、各装置３３０、３５０、３７０を用いたスパイラルコア用リボンの製造方法を説明する。
【００５０】
予め成形される芯材１２０をドラム３８０に巻回しておき、芯材１２０が巻回されるドラム３８０から、芯材１２０が引き出されて、押出装置３３０のクロスヘッド３１０に挿入される。
【００５１】
押出装置３３０では、素材ペレットをホッパ３３１に供給して、素材ペレットを加熱装置、スクリュ３３２、シリンダ３３３等によって加熱溶融練り合わせを行って融解し、吐出口３３４からクロスヘッド３１０に送り込む。
【００５２】
図４（ａ）に示すように、吐出口３３４から紙面に向かって垂直に流れる溶解された素材パレット（以下「溶解素材」という）は、クロスヘッド３１０内において、素材案内部３１１に沿って流れて溶解素材の流れＤ、Ｅを生ずる。
【００５３】
また、素材案内部３１１は、送り込まれる素材が芯材１２０を覆うように形成されており、素材案内部３１１内に送り込まれる溶解素材は、図４（ｂ）に示すように、素材案内部３１１を満たすように流れＦ、Ｇを作る。そして、溶解素材は、流れＦ、Ｇに示すように、曲がりながら素材案内部３１１を満たし、芯材１２０の周囲に配置される。そして、溶解素材は、ダイス３１２に設けられたリボンの形に素材を押し出すための成型口３１４を介して成型口３１４の中央に位置した芯材１２０の表面に被覆される。
【００５４】
芯材１２０を被覆する溶解素材は、押し出し後、加熱軟化しており、冷却されるに伴い硬化する。しかし、収縮に伴う表面の変形をもたらす故、これを防ぎ、表面形状を精度よく仕上げるため、サイジング装置３５０に導かれる。
【００５５】
すなわち、クロスヘッド３１０のダイス３１２からリボン状に押し出されたリボン成形体を高精度に成型するため、リボン成形体における注型素材表面の形をサイジング装置３５０で整え、冷却槽３７０で全体を冷却することによって仕上げる。仕上げられたリボン１００は、ドラム３９０によって巻き取られる。
【００５６】
このように成型されたリボン１００は、図示しないマンドレルなどの所定の巻き芯を軸に、適当径及び適当長さの筒状体となるように自在に螺旋状に巻き上げ加工され、これによって常温収縮チューブ用スパイラルコア２００が組み立てられる。
【００５７】
この巻き上げられたスパイラルコア２００では、軸方向で隣接するリボン１００同士は、対向する嵌合部１３０及び被嵌合部１４０を互いに嵌合させることによって接合される。例えば、被嵌合部１４０が一端部１０３（図１参照）側、嵌合部１３０が他端部１０４側（図１参照）となるように嵌合させる。
【００５８】
このようにしてリボン１００を巻き上げることにより組み立てられた筒状体では、筒状体の一端部１０３側のリボン１００を他端部方向（図１のＰ方向）に引っ張ることによって、リボンが隣接するリボン１００から捻られながら外れる。
【００５９】
なお、本実施の形態では、嵌合部１３０及び被嵌合部１４０の形状は、リボン１００の断面中心に対して点対称の形状をなしている。このため、被嵌合部１４０を他端部１０４側に位置させ、嵌合部１３０を一端部１０３側に位置させて筒状体を組み立てても良い。このリボン１００を巻き加工した際、スパイラルコア２００の外表面は、嵌合部１３０及び被嵌合部１４０の重ね合わせが平滑で強固に嵌合状態が保たれる。
【００６０】
また、組み上げられたスパイラルコア２００を、リボン１００を引き抜いて解体する際に、リボン１００の引き抜きを停止した場合、嵌合部１３０及び被嵌合部１４０の係止状態は維持され、スパイラルコア２００の解体における引き抜き時の自走を防止することができる。
【００６１】
このように本実施の形態に係るスパイラルコア用リボン１００は、リボン本体１１０の内部に、リボン本体１１０に被覆される芯材１２０を有する。このため、リボン１００において、リボン本体１１０の肉厚部分は、芯材１２０が内部に配設されている分だけ薄くすることができる。つまり、芯材１２０を融解した合成樹脂であるリボン本体１１０となる素材で被覆することによりリボン１００を形成する際に、芯材１２０を被覆するリボン本体１１０が冷却されることによって生じる収縮が発生する場合でも、収縮による変形はおきにくい。
【００６２】
大型の常温収縮チューブが製造されると、常温収縮チューブ自体が厚く、長い形状になると収縮力が増すため、このような常温収縮チューブの拡径状態を保持するための強度を確保すべくスパイラルコア２００は、大口径、長尺なものとなる。これに伴い、スパイラルコア２００を構成するリボン１００は、常温収縮チューブの収縮力に耐え得る強度を有するように、幅が広く、厚い構造のものが要求される。
【００６３】
これに対して、本実施の形態によれば、リボン１００がリボン本体１１０及び芯材１２０の二重以上の構造となっているため、リボン１００を大型化する場合でも、広幅厚肉注型されるリボン１００の成型時の熱収縮による歪みを吸収し、形状精度を向上させることができる。
【００６４】
このように、本実施の形態によれば、リボン１００の材料として合成樹脂、ここではポリプロピレンを用いても、被せられる常温収縮チューブの大きさに関わらず、その拡径状態を維持することができるとともに、精度良く容易に形成できる。
【００６５】
また、本実施の形態によれば、従来と異なり、リボンを成形する際に、成形後の収縮を吸収させるためにダイスの形状を経験的に変更して試行錯誤で押し出し作業を行う必要が無く、容易に精度のよい異形押し出しが可能になる。
【００６６】
さらに、成形されるリボン形状を調整しながら押し出し成型を行っている従来と異なり、リボンの押し出し速度を向上させることができ、コストダウンを図ることができる。
【００６７】
さらにまた、リボン１００の構成では、芯材１２０を変更することなく、成型時において、リボン本体１１０となる素材の厚みを調整することによって、リボン形状を変更することができる。これにより、大きさの異なるリボンを複数種製造する場合、それぞれに対応する多くの芯材を準備しなくとも芯材共用にすることによって、コストメリットが図れる。
【００６８】
さらに、芯材１２０には、芯材１２０を被覆するリボン本体１１０となるスパイラルコア主材としての素材より融点の高い材料を用いている。つまり、芯材１２０は、架橋により耐久性が向上された耐熱性エラストマー、ゴム等の材料により形成されている。これにより、成形の際に生じる収縮による変形を減少させることができる。
【００６９】
また、芯材に、リボン本体１１０の素材と同様の材料を用いることによって、加熱押し出し時に、両者を融着させることが可能であり、冷却時にはリボン１００内部の芯材１２０は室温に近い温度で、冷却時の収縮が小さいことから、注型精度の高いリボン１００を容易に製造することが出来る。
【００７０】
なお、上記実施の形態では、リボン１００は、予め成形された芯材１２０を、リボン本体１１０の素材で被覆することにより形成されるものとしたが、これに限らず、中空のリボン本体１１０を成形した後で、芯材１２０をリボン本体内部に挿入することにより形成しても良い。
【００７１】
なお、スパイラルコア用リボン１００における芯材１２０は、ここでは、中実の円柱状としたが、リボン本体１１０内部に、リボン本体１１０によって被覆されているものであれば、どのような形状をであってもよい。例えば、芯材１２０を筒状、角筒状、角柱状、蛇腹管状、コイル状、バネ状などの形状で構成することが考えられる。
【００７２】
以下に、様々な形状の芯材１２０を有するリボンを変形例として、それぞれ断面図で示す。なお、以下で示す各変形例は、それぞれ図２に示す実施の形態１に対応するリボン１００と同様の基本的構成を有しており、同一の構成要素には同一の符号を付し、その説明を省略する。
【００７３】
＜変形例＞
図５は、本発明の一実施の形態に係るインナーコア用リボンの変形例１〜３を示す図である。
【００７４】
図５（ａ）に示す変形例１としてのリボン４００は、リボン１００と基本的に同様の構成を有しており、リボン４００は、リボン本体１１０の内部に配置される芯材１２０の他に、リボン本体１１０に対して嵌合部１３０及び被嵌合部１４０と同形状に設けられる嵌合部４３０及び被嵌合部４４０の内部に、嵌合部４３０、被嵌合部４４０の長手方向に沿って延在する嵌合部用芯材２２０を有するものである。
【００７５】
このリボン４００は、嵌合部用芯材２２０を有するため、リボン１００と略同様に製造される工程において、芯材１２０、嵌合部用芯材２２０をクロスヘッドに送り出し、クロスヘッド内で、リボン本体１１０、嵌合部４３０及び被嵌合部４４０の溶融素材により芯材１２０、嵌合部用芯材２２０を被覆する。そして、クロスヘッドから送り出されるリボン４００では、芯材１２０によりリボン本体１１０の肉厚部分が薄くなるとともに、嵌合部用芯材２２０により、角を有する嵌合部４３０及び被嵌合部４４０の肉厚部分も薄くすることができる。成形後固化する際に、嵌合部４３０および披嵌合部４４０に収縮がおきにくく、リボン本体１１０に加えて、角を有する嵌合部４３０及び被嵌合部４４０をより高い寸法精度で形成することができる。
【００７６】
図５（ｂ）に示す変形例２としてのリボン５００は、リボン１００の構成において、リボン本体１１０内に配置される円柱状の芯材１２０に代えて、中実である略矩形状の芯材５２０に代えた構成のものである。
【００７７】
すなわち、リボン５００は、リボン本体１１０の内部に、リボン本体１１０に被覆される芯材５２０が設けられている。そして、リボン本体１１０は、ここでは、断面略矩形状に形成され、リボン５００の表裏面となるリボン本体１１０の表裏面１１１、１１２は平行に配置されている。また、リボン本体１１０の両側面１１３、１１４には、互いに嵌合する形状をなす嵌合部１３０及び被嵌合部１４０が設けられている。
【００７８】
芯材５２０は、断面略矩形状に形成され、リボン本体１１０の軸心部分、言い換えれば、リボン本体の肉厚部部分の中央に配置され、リボン本体１１０の長手方向に沿って延在する。この芯材５２０によって、リボン本体１１０では、芯材５２０を囲む表裏面１１１、１１２側及び両側面１１３、１１４側のそれぞれの肉厚部分１１０ａ、１１０ｂが、それぞれ略均一の厚みとなっている。
【００７９】
この構成によれば、芯材５２０が円柱状のものと異なり、角柱状、つまり断面矩形状に形成され、リボン本体１１０の肉厚部分１１０ａ、１１０ｂがそれぞれ略均一の厚みに成形されるため、押出成形によって、リボン本体１１０で芯材５２０を被覆する際に、リボン本体１１０となる素材の収縮を低減することができ、成形されるリボン５００としての変形を防ぐことができる。
【００８０】
なお、このリボン５００の構成において、リボン本体１１０内部に配設される芯材５２０は、複数本配置してもよい。この例を図５（ｃ）で示す。
【００８１】
図５（ｃ）に示す変形例３としてのリボン６００は、内部に３つの芯材５２０を有する略矩形状のリボン本体６１０の両側面に嵌合部１３０及び被嵌合部１４０とを設けることにより構成されている。
【００８２】
リボン６００では、リボン本体部６１０の内部に芯材５２０が複数並べて配置されているため、リボン６００自体が幅方向に長いものとなっている。
【００８３】
この構成によれば、スパイラルコアに被さる常温収縮チューブの大型化に伴い、スパイラルコア自体を大きくする必要が生じても、このリボン６００によって容易に対応できる。つまり、巻き上げた際に筒状体の軸方向の長さとなるリボン６００自体の幅が長いため、このリボン６００を螺旋状に巻き上げてスパイラルコアを組み立てる際に生じる嵌合部１３０及び被嵌合部１４０の嵌合作業を少なくすることができる。
【００８４】
図６は、本発明の一実施の形態に係るインナーコア用リボンの変形例４を示す図である。図６に示す変形例４としてのリボン７００は、実施の形態１におけるリボン１００の構成において、中実である円柱状の芯材１２０に代えて、筒状の芯材７２０を設けたものである。
【００８５】
リボン７００では、筒状の芯材７２０は、リボン成形体が成形された後、内部に冷却材を通すことによって、芯材７２０を被覆するリボン本体１１０となる素材を効率よく冷却することができる。よって、素材が固化する際に生じる収縮による変形、つまり、リボン本体１１０の変形、更に詳しく言えば、リボン７００自体における全体の変形を効率よく防止して製造することができ、リボン７００自体の生産性の向上を図ることができる。
【００８６】
なお、リボン本体１１０内に筒状の芯材を配置した場合、この芯材の形状はこれに限らず、成形後における、芯材を被覆するリボン本体の収縮を減少させるものであれば、どのような形状に構成されていても良い。
【００８７】
また、リボン本体内の芯材を筒状に形成する場合、芯材を被覆するリボン本体に対して、芯材内部から架橋して、樹脂性能を変更するようにしてもよい。
【００８８】
図７は、実施の形態１のリボン１００において芯材１２０を筒状部材とした場合における実施の形態の変形例５、６を示す図である。
【００８９】
図７（ａ）に示す変形例５としてのリボン８００は、リボン１００と基本的構成が略同一であり、リボン本体１１０とほぼ同様に構成されたリボン本体８１０の内部に、角筒形状、つまり、断面矩形筒状の芯材８２０が配置されている。
【００９０】
この芯材８２０によって、リボン本体８１０では、芯材８２０を囲む表裏面１１１、１１２側及び両側面１１３、１１４側のそれぞれの肉厚部分１１０ａ、１１０ｂが、それぞれ略均一の厚みとなっている。
【００９１】
この構成によれば、芯材８２０が角筒形状に形成され、リボン本体８１０の肉厚部分１１０ａ、１１０ｂがそれぞれ略均一の厚みとなっているため、押出成形によって、リボン本体８１０で芯材８２０を被覆する際に、リボン本体８１０となる素材の収縮を低減すことができ、成形されるリボン８００としての変形を防ぐことができる。
【００９２】
また、成形されるリボン８００を芯材８２０の内部に冷却材を通すことによって、より効率よく、リボン本体８１０を冷却することができ、生産性の向上を図ることができる。
【００９３】
図７（ｂ）に示す変形例６としてのリボン８００ａは、変形例５としてのリボン８００の構成において、芯材内部の中空部の断面が矩形状の芯材８２０に代えて、内部の中空部の断面が円形状（楕円形状としてもよい）にする内周面８０２を有する筒状の芯材８３０としたものである。また、この芯材８３０は、芯材８２０と異なり、断面視して、リボン本体８１０に当接する芯材８３０の断面における角部（出隅）８３０ａは全てアールとなっている。
【００９４】
このリボン８００ａは、筒状の芯材８３０における中空部の断面形状が円状であるため、リボン８００に比べて、強度の向上が図られたものとなっている。なお、このリボン８００ａの基本的な作用効果は同様の構成のリボン８００と同様であり説明は省略する。
【００９５】
なお、各変形例４〜６のそれぞれにおいて、筒状の芯材を長手方向に伸縮自在な形状、例えば、蛇腹管状や、周壁の縦断面が波状であるものに形成してもよい。
【００９６】
図８は、本発明の一実施の形態に係るインナーコア用リボンの変形例８を示す図である。図８に示す変形例７としてのリボン９００は、リボン本体１１０と同様に成形されるリボン本体９１０の内部に、蛇腹管状の芯材９２０を有するものである。
【００９７】
このように蛇腹管状の芯材９２０は、上記の効果に加え、成形されるリボン９００が湾曲しにくくなるのを防ぐことができ、螺旋状に巻き上げ易くして、スパイラルコアを組み立て易くすることができる。つまり、リボン９００を筒状のインナーコア、ここではスパイラルコアに組み立てる場合の取り扱い性の向上、さらには、組み立て性の向上を図ることができる。すなわち、このように芯材９２０を蛇腹状にすることは、芯材自体に軟性を持たせる場合、あるいは、耐熱性が要求され、芯材として選択された材料の硬度が増す場合等において有効であり、芯材９２０を有するリボン自体の可撓性を確保することができる。また、芯材を、線状部材を螺旋状に巻き上げたバネ状体に構成してもよい。この構成の芯材は、軸方向に伸縮自在であり、この芯材を有するリボンも上記リボン９００と同様の作用効果を得ることができる。
【００９８】
なお、上記各実施の形態及び変形例におけるリボン１００は、予め成形された芯材１２０を、リボン本体１１０の素材で被覆することにより形成されるものとしたが、これに限らず、中空のリボン本体１１０を成形した後で、芯材１２０をリボン本体内部に挿入することにより形成しても良い。
【００９９】
また、本実施の形態に示す各リボン１００、４００、５００、６００、７００、８００、８００ａ、９００では、本体部及び芯材による二重構造としたが、これに限らず二重以上の構造としても良い。例えば、芯材を被覆するリボン本体を多層によって芯材を覆う構成としても良い。
【０１００】
また、本実施の形態では、各リボン１００、４００、５００、６００、７００、８００、８００ａ、９００は、螺旋状に巻き上げられて隣り合うリボン同士における嵌合部１３０及び被嵌合部１４０を嵌合することによって筒状体であるインナーコアとしてスパイラルコアを組み立てるものとしたが、これに限らない。つまり、当該構成の各リボン１００、４００、５００、６００、７００、８００、８００ａ、９００を用いて筒状の常温収縮チューブ用インナーコアが形成されればどのように組み立てても良い。
【０１０１】
さらに、変形例１としてのリボン４００は、リボン本体１１０に対して嵌合部１３０及び被嵌合部１４０と同形状に設けられる嵌合部４３０及び被嵌合部４４０の内部に、嵌合部４３０、４４０の長手方向に沿って延在する嵌合部用芯材２２０を有するものとした。
【０１０２】
このように嵌合部４３０及び被嵌合部４４０に嵌合部用芯材２２０が設けられる構成は、他の変形例で示すリボン５００、６００、７００、８００、８００ａ、９００において適用されてもよい。その場合の作用効果はリボン４００におけるものと同様のものであり説明は省略する。
【０１０３】
本発明の第１の態様に係るインナーコア用リボンは、拡径された常温収縮チューブが被さる筒状のインナーコアを形成するインナーコア用リボンであって、リボン本体の内部に、前記リボン本体に被覆される芯材を有する構成を採る。
【０１０４】
この構成によれば、リボン本体の内部に、リボン本体に被覆される芯材を有するため、リボン本体の肉厚部分が、内部に芯材が配置される分薄くなる。よって、リボン本体を成形する際に、特に、押出成形する場合、溶融されたリボン本体の素材の固化により生じる収縮を低減することができ、寸法精度よく成形できる。これにより、幅広で且つ肉厚なインナーコア用リボンを、精度良く且つ製造できる。したがって、インナーコアに被さる常温収縮チューブの大型化に伴い、インナーコア自体を大きくする場合でも、インナーコア用リボンを幅広で且つ厚みのあるものとして容易に製造して、これを筒状に組み立てることによって、収縮力に十分対応できる強度を有するインナーコアにすることができる。
【０１０５】
本発明の第２の態様に係るインナーコア用リボンは、上記構成において、前記芯材は、筒状である構成を採る。
【０１０６】
この構成によれば、芯材が筒状であるため、芯材の内部に冷却材を通すことによって、芯材を被覆するリボン本体となる素材を効率よく冷却することができる。よって、リボン本体の収縮による変形を効率良く防止することができ、インナーコア用リボンの生産性の向上を図ることができる。
【０１０７】
本発明の第３の態様に係るインナーコア用リボンは、上記構成において、前記芯材は、蛇腹管状である構成を採る。
【０１０８】
この構成によれば、インナーコア用リボンの芯材が蛇腹管状であるため、芯材自体が長手方向に伸縮可能であり、可撓性を有するものとなる。すなわち、芯材自体に軟性を持たせる場合、あるいは、耐熱性が要求され、芯材として選択された材料の硬度が増す場合等であっても、芯材を有するリボン自体の可撓性を確保することができる。よって、芯材を有するインナーコア用リボン自体が湾曲しにくくなることを防ぐことができ、リボンを筒状のインナーコアに組み立てる際の取り扱い性の向上を図ることできる。具体的には、インナーコア用リボンを螺旋状に巻き上げ易くして、スパイラルコアを組み立て易くすることができる。
【０１０９】
本発明の第４の態様に係るインナーコア用リボンは、上記構成において、前記芯材は、線状部材を螺旋状に巻き上げたバネ状体である構成を採る。
【０１１０】
この構成によれば、インナーコア用リボンの芯材がバネ状体であるため、芯材自体が長手方向に伸縮可能であり、可撓性を有するものとなる。すなわち、芯材自体に軟性を持たせる場合、あるいは、耐熱性が要求され、芯材として選択された材料の硬度が増す場合等であっても、芯材を有するリボン自体の可撓性を確保することができる。よって、芯材を有するインナーコア用リボン自体が湾曲しにくくなることを防ぐことができ、リボンを筒状のインナーコアに組み立てる際の取り扱い性の向上を図ることできる。具体的には、インナーコア用リボンを螺旋状に巻き上げ易くして、スパイラルコアを組み立て易くすることができる。
【０１１１】
本発明の第５の態様に係る常温収縮チューブ用インナーコアは、上記構成のインナーコア用リボンを螺旋状に巻き上げることにより筒状に形成されてなる構成を採る。
【０１１２】
この構成によれば、リボン本体の内部に、リボン本体に被覆される芯材を有するインナーコア用リボンを螺旋状に巻き上げることにより筒状に形成されるため、被さる常温収縮チューブの大きさに関わらず、その収縮力に十分対応できる強度を有するとともに、精度良く容易に製造できる。
【産業上の利用可能性】
【０１１３】
本発明に係るインナーコア用リボンは、被さる常温収縮チューブの大きさに関わらず、その強度に十分対応できるとともに、精度良く容易に形成できるインナーコアを組み立てることができ、電力ケーブルの接続部等に用いられる常温収縮チューブ用の支持治具を構成するものとして有用である。
【図面の簡単な説明】
【０１１４】
【図１】本発明の一実施の形態に係る常温収縮チューブ用インナーコアの一例としての常温収縮チューブ用スパイラルコアの構造を示す全体図
【図２】図１に示す常温収縮チューブ用スパイラルコアを形成するリボンの断面図
【図３】本発明に係るインナーコア用リボンとしてのスパイラルコア用リボンの製造を説明するための主要工程を示す図
【図４】図３に示すクロスヘッド内での挙動を説明する図
【図５】本発明の一実施の形態に係るインナーコア用リボンの変形例を示す図
【図６】本発明の一実施の形態に係るインナーコア用リボンの変形例を示す図
【図７】実施の形態のリボンにおいて芯材を筒状の部材した場合の変形例を示す図
【図８】本発明の一実施の形態に係るインナーコア用リボンの変形例を示す図
【図９】従来のスパイラルコアを構成するリボンの一例の断面図
【図１０】従来のスパイラルコアの部分断面図
【図１１】厚みのあるリボンの成形後における収縮状態を示す断面図
【符号の説明】
【０１１５】
１００、４００、５００、６００、７００、８００、８００ａ、９００  リボン
１１０、６１０、８１０、９１０  リボン本体
１２０、２２０、５２０、７２０、８２０、８３０、９２０  芯材
２００  スパイラルコア（インナーコア）
８０２  中空部
【図１】
2006289791.tif 000003
【図２】
2006289791.tif 000004
【図３】
2006289791.tif 000005
【図４】
2006289791.tif 000006
【図５】
2006289791.tif 000007
【図６】
2006289791.tif 000008
【図７】
2006289791.tif 000009
【図８】
2006289791.tif 000010
【図９】
2006289791.tif 000011
【図１０】
2006289791.tif 000012
【図１１】
2006289791.tif 000013